(57)【要約】【課題】前回の撮影条件と同じ撮影条件で患者の断層像を撮影する場合に、撮影条件情報を安全且つ簡便に設定すること。【解決手段】操作コンソールでは、これからスキャンしようとする被検体の患者ＩＤと検査部位とを入力し（Ｓ４０１）、入力した患者ＩＤと検査部位とで特定される撮影条件情報を取得する（Ｓ４０２）。ガントリ装置は撮影条件情報に従って被検体の投影データの収集を行い（Ｓ４５２）、収集した被検体の投影データを操作コンソールに送信する（Ｓ４５３）。操作コンソールはガントリ装置から送信された投影データに対して画像再構成処理を行うことで、被検体の断層像を生成する（Ｓ４０７）。【選択図】  図４
2004195122.tif 000002
【特許請求の範囲】
【請求項１】
被検体をスキャンするガントリ装置を制御し、当該ガントリ装置がスキャンしたデータに基づいて前記被検体の断層像を再構成する操作コンソールであって、
スキャン対象の被検体を特定する被検体情報を入力する入力手段と、
被検体の過去の撮影条件情報を保持する記憶装置から、当該入力手段により入力された被検体情報に対応する撮影条件情報を読み取る読み取り手段と、
当該読み取り手段により得られた撮影条件情報を初期の撮影条件情報として設定する設定手段と
を備えることを特徴とする操作コンソール。
【請求項２】
更に、被検体の断層像と当該断層像を得るための撮影条件情報とが記録されたフィルムから、当該撮影条件情報を電子情報として読み取る撮影条件情報読み取り手段と、
当該撮影条件読み取り手段が読み取った撮影条件情報を、前記被検体を特定する被検体情報に関連づけて前記記憶装置に記憶させる記憶制御手段と
を備えることを特徴とする請求項に記載の操作コンソール。
【請求項３】
前記外部の記憶装置には、被検体毎、且つ検査部位毎に撮影条件情報が保持されており、
更に、被検体の検査部位を特定する検査部位情報を入力する検査部位情報入力手段を備え、
前記読み取り手段は、前記検査部位情報入力手段により入力された被検体情報、当該被検体情報で特定される被検体の検査部位情報に対応する撮影条件情報を読み取ることを特徴とする請求項に記載の操作コンソール。
【請求項４】
被検体をスキャンするガントリ装置と、当該ガントリ装置を制御し、当該ガントリ装置がスキャンしたデータに基づいて前記被検体の断層像を再構成する操作コンソールとで構成される医療診断装置であって、
スキャン対象の被検体を特定する被検体情報を入力する入力手段と、
被検体の過去の撮影条件情報を保持する記憶装置から、当該入力手段により入力された被検体情報に対応する撮影条件情報を読み取る読み取り手段と、
当該読み取り手段により得られた撮影条件情報を初期の撮影条件情報として設定する設定手段と
を備えることを特徴とする医療診断装置。
【請求項５】
被検体をスキャンするガントリ装置を制御し、当該ガントリ装置がスキャンしたデータに基づいて前記被検体の断層像を再構成する操作コンソールの制御方法であって、
スキャン対象の被検体を特定する被検体情報を入力する入力工程と、
被検体の過去の撮影条件情報を保持する記憶装置から、当該入力工程で入力された被検体情報に対応する撮影条件情報を読み取る読み取り工程と、
当該読み取り工程で得られた撮影条件情報を初期の撮影条件情報として設定する設定工程と
を備えることを特徴とする操作コンソールの制御方法。
【請求項６】
被検体をスキャンするガントリ装置と、当該ガントリ装置を制御し、当該ガントリ装置がスキャンしたデータに基づいて前記被検体の断層像を再構成する操作コンソールとで構成される医療診断装置の制御方法であって、
スキャン対象の被検体を特定する被検体情報を入力する入力工程と、
被検体の過去の撮影条件情報を保持する記憶装置から、当該入力工程で入力された被検体情報に対応する撮影条件情報を読み取る読み取り工程と、
当該読み取り工程で得られた撮影条件情報を初期の撮影条件情報として設定する設定工程と
を備えることを特徴とする医療診断装置の制御方法。
【請求項７】
コンピュータを請求項１乃至３の何れか１項に記載の操作コンソールとして機能させることを特徴とするプログラム。
【請求項８】
コンピュータに請求項５に記載の操作コンソールの制御方法を実行させることを特徴とするプログラム。
【請求項９】
請求項７又は８に記載のプログラムを格納することを特徴とするコンピュータ読み取り可能な記憶媒体。
【発明の詳細な説明】
【０００１】
【発明の属する技術分野】
本発明は、ガントリ装置に投影データの収集を行わせるための設定を行う操作コンソール、医療診断装置に関するものである。
【０００２】
【従来の技術】
被検体（患者）の検査部位の断層像を定期的、もしくは不定的にＣＴやＭＲＩ等を用いて撮影する、経過観察というものがある。経過観察とは、患者の検査部位の時間的推移を観察するものであって、従来ではこの経過観察によって定期的、もしくは不定的に撮影される断層像はフィルムに記録して保存していた。
【０００３】
また、このフィルムの所定位置には、この断層像を得るために操作コンソールで設定した管電流やスライス厚などの撮影条件も記録されていた。この撮影条件は、再度同じ患者の断層像を撮影する場合に、前回の撮影条件と同じ撮影条件で撮影を行うことを目的として検査技師が参照するために記録されている。
【０００４】
また従来から、撮影条件を自動的に設定するものも開示されていた（例えば特許文献１、特許文献２を参照）。
【０００５】
【特許文献１】
実開昭６０−１８９０２７
【特許文献２】
特開平１−３０３４１８
【０００６】
【発明が解決しようとする課題】
検査技師は、患者の経過観察のために検査部位の断層像の撮影を行うためには、上述の通り、その前段で前回の撮影条件と同じ撮影条件を操作コンソールに入力する必要がある。しかし、フィルムに断層像や撮影条件を記録して保存する場合、検査技師は患者の検査部位の断層像の撮影を行うたびに、この患者の過去に撮影された断層像が記録されたフィルムを用意する必要があり、患者数の増加、経過観察の期間の増加に伴って、この作業を行う検査技師にかかる負荷は大きなものとなる。
【０００７】
また、経過観察を行う対象の患者の過去に撮影された断層像、撮影条件が記録されたフィルムを用意した場合、これからこの患者の断層像の撮影を行う場合にはその前段で、フィルムに記録された撮影条件を検査技師が読み取って今回の撮影条件として操作コンソールに入力する必要があったが、検査技師の読み取りミスや操作コンソールへの入力ミスなどが発生する可能性もあり、常に撮影条件を前回のものと同じにして断層像を撮影することができるとは限らない。
【０００８】
本発明はかかる問題点に鑑みてなされたものであり、前回の撮影条件と同じ撮影条件で患者の断層像を撮影する場合に、撮影条件情報を安全且つ簡便に設定することを目的とする。
【０００９】
【課題を解決するための手段】
本発明の目的を達成するために、例えば本発明の操作コンソールは以下の構成を備える。
【００１０】
すなわち、被検体をスキャンするガントリ装置を制御し、当該ガントリ装置がスキャンしたデータに基づいて前記被検体の断層像を再構成する操作コンソールであって、
スキャン対象の被検体を特定する被検体情報を入力する入力手段と、
被検体の過去の撮影条件情報を保持する記憶装置から、当該入力手段により入力された被検体情報に対応する撮影条件情報を読み取る読み取り手段と、
当該読み取り手段により得られた撮影条件情報を初期の撮影条件情報として設定する設定手段と
を備えることを特徴とする。
【００１１】
本発明の目的を達成するために、例えば本発明の医療診断装置は以下の構成を備える。
【００１２】
すなわち、被検体をスキャンするガントリ装置と、当該ガントリ装置を制御し、当該ガントリ装置がスキャンしたデータに基づいて前記被検体の断層像を再構成する操作コンソールとで構成される医療診断装置であって、
スキャン対象の被検体を特定する被検体情報を入力する入力手段と、
被検体の過去の撮影条件情報を保持する記憶装置から、当該入力手段により入力された被検体情報に対応する撮影条件情報を読み取る読み取り手段と、
当該読み取り手段により得られた撮影条件情報を初期の撮影条件情報として設定する設定手段と
を備えることを特徴とする。
【００１３】
本発明の目的を達成するために、例えば本発明の操作コンソールの制御方法は以下の構成を備える。
【００１４】
すなわち、被検体をスキャンするガントリ装置を制御し、当該ガントリ装置がスキャンしたデータに基づいて前記被検体の断層像を再構成する操作コンソールの制御方法であって、
スキャン対象の被検体を特定する被検体情報を入力する入力工程と、
被検体の過去の撮影条件情報を保持する記憶装置から、当該入力工程で入力された被検体情報に対応する撮影条件情報を読み取る読み取り工程と、
当該読み取り工程で得られた撮影条件情報を初期の撮影条件情報として設定する設定工程と
を備えることを特徴とする。
【００１５】
本発明の目的を達成するために、例えば本発明の医療診断装置の制御方法は以下の構成を備える。
【００１６】
すなわち、被検体をスキャンするガントリ装置と、当該ガントリ装置を制御し、当該ガントリ装置がスキャンしたデータに基づいて前記被検体の断層像を再構成する操作コンソールとで構成される医療診断装置の制御方法であって、
スキャン対象の被検体を特定する被検体情報を入力する入力工程と、
被検体の過去の撮影条件情報を保持する記憶装置から、当該入力工程で入力された被検体情報に対応する撮影条件情報を読み取る読み取り工程と、
当該読み取り工程で得られた撮影条件情報を初期の撮影条件情報として設定する設定工程と
を備えることを特徴とする。
【００１７】
【発明の実施の形態】
以下添付した図面を参照して、本発明を好適な実施形態に従って、詳細に説明する。
【００１８】
［第１の実施形態］
図１は、本実施形態のＸ線ＣＴシステムのブロック構成図である。図示のように本システムは、被検体へのＸ線照射と被検体を透過したＸ線を検出するためのＸ線検出機構を一体的に取り付けるガントリ装置１００と、ガントリ装置１００に対して各種動作設定を行うとともに、ガントリ装置１００から出力されたデータに基づいてＸ線断層像を再構成し、表示する操作コンソール２００により構成されている。
【００１９】
ガントリ装置１００は、その全体の制御をつかさどるメインコントローラ１をはじめ、以下の構成を備える。
【００２０】
２は操作コンソール２００との通信を行うためのインタフェース、３はテーブル１２上に横たえた被検体（患者）を搬送（図面に垂直な方向で以下、ｚ軸ともいう）するための空洞部を有するガントリであり、内部には、Ｘ線発生源であるＸ線管４（Ｘ線管コントローラ５により駆動制御される）、Ｘ線の照射範囲を画定するためのスリットを有するコリメータ６、コリメータ６のＸ線照射範囲を画定するスリット幅の調整用モータであるモータ７ａが設けられている。このモータ７ａの駆動はコリメータコントローラ７により制御される。
【００２１】
また、ガントリ３は、被検体を透過したＸ線を検出するＸ線検出部８、およびＸ線検出部８で得た透過Ｘ線より得られる投影データを収集するデータ収集部９を備える。Ｘ線管４及びコリメータ６と、Ｘ線検出部８は互いに空洞部分を挟んで、すなわち、被検体を挟んで対向する位置に設けられ、その関係が維持された状態でガントリ３のまわりを回動するようになっている。この回動は、モータコントローラ１１からの駆動信号により駆動される回転モータ１０によって行われる。
【００２２】
そしてＸ線管４と検出器８とが一体（回転体）となって被検体の周囲を回りながら異なる角度からの被検体の投影データを収集する動作（スキャン）を行うことで、被検体の投影データを収集することができる。即ちスキャンとは、投影データを収集する処理のことである。
【００２３】
また、被検体を乗せるテーブル１２は、ｚ軸方向への搬送がなされるが、その駆動はテーブルモータ１３によって行われる。テーブルモータ１３の駆動はテーブルモータコントローラ１４により制御される。
【００２４】
メインコントローラ１は、インタフェース２を介して受信した各種コマンドの解析を行い、それに基づいて上記のＸ線管コントローラ５、コリメータコントローラ７、モータコントローラ１１、テーブルモータコントローラ１４、そして、データ収集部９に対し、各種制御信号を出力することになる。また、メインコントローラ１は、データ収集部９で収集された投影データを、インタフェース２を介して操作コンソール２００に送出する処理も行う。
【００２５】
操作コンソール２００は、いわゆるワークステーションであり、図示するように、装置全体の制御をつかさどるＣＰＵ５１、ブートプログラム等を記憶しているＲＯＭ５２、主記憶装置として機能するＲＡＭ５３をはじめ、以下の構成を備える。
【００２６】
ＨＤＤ５４は、ハードディスク装置であって、ここにＯＳや、撮影条件（検査部位、管電流、スライス厚等）を示す情報である撮影条件情報を設定するためのＧＵＩ（Graphical User Interface）のプログラムのほか、ガントリ装置１００に各種指示を与えたり、ガントリ装置１００より受信したデータに基づいてＸ線断層像を再構成するための画像再構成プログラムが格納されている。ＶＲＡＭ５５は表示しようとするイメージデータを展開するメモリであり、ここにイメージデータ等を展開することでＣＲＴ５６に表示させることができる。５７及び５８は、各種設定を行うためのキーボードおよびマウスである。また、５９はガントリ装置１００と通信を行うためのインタフェースで、６０は撮影条件情報ＤＢ（データベース）３００との通信を行うためのインターフェースである。
【００２７】
３００は操作コンソール２００において過去に設定した夫々の撮影条件情報を、被検体毎、且つ検査部位毎に管理する撮影条件情報ＤＢ３００である。被検体毎、且つ検査部位毎の撮影条件情報の集合が撮影条件情報群３０１である。そして撮影条件情報ＤＢ３００は、操作コンソール２００からアクセスがあると撮影条件情報群３０１のうち、要求に応じた撮影条件情報を操作コンソール２００に返信する。
【００２８】
以上の構成を有するＸ線ＣＴシステムを用いて、経過観察を行うために被検体の頭部をスキャンする場合に、操作コンソール２００において撮影条件情報を設定する処理について説明するが、以下説明する内容は検査部位が頭部に限定されるものではない。なお、過去に被検体の頭部をガントリ装置１００によりスキャンしたときに操作コンソール２００において設定した撮影条件情報は撮影条件情報ＤＢ３００に記憶保持されているものとする。
【００２９】
被検体の頭部の経過観察を行うわけであるから、医師などは、過去に撮影した被検体の頭部の断層像と、今回得るべき頭部の断層像とを比較して頭部の医療診断を行う。よってこのためには、過去に設定した撮影条件情報と同じものを今回、操作コンソール２００にて設定する必要がある。
【００３０】
そこで、撮影条件情報ＤＢ３００に格納されている撮影条件情報群３０１のうち、過去にガントリ装置１００が被検体の頭部をスキャンするために操作コンソール２００で設定した撮影条件情報を読み出す必要がある。
【００３１】
図２は、過去にガントリ装置１００が被検体の頭部をスキャンするために操作コンソール２００で設定した撮影条件情報を撮影条件情報ＤＢ３００から読み出すためのＧＵＩの表示例を示す図である。同図のＧＵＩ２００は操作コンソール２００のＣＲＴ５６の表示画面上に表示される。
【００３２】
２００はＧＵＩのウィンドウである。２０１は被検体を特定するために被検体に付けられた固有のＩＤを入力するための領域で、被検体には予め病院などでＩＤが付けられているので、検査技師はキーボード５７やマウス５８を用いてこれからスキャンしようとする被検体のＩＤをこの領域２０１に入力する。
【００３３】
２０２乃至２０４はこれからスキャンしようとする検査部位を入力するためのチェックボックスで、検査技師はこれからスキャンしようとする検査部位に対応するチェックボックスにキーボード５７やマウス５８を用いてチェックを入れる。同図では、頭部にチェックマークが入っているので、頭部を検査部位とするように設定している。
【００３４】
このように図２に示すＧＵＩに入力すべき上記項目を入力し、「ＯＫ」ボタン２０５をキーボード５７やマウス５８を用いて押下すると、操作コンソール２００のＣＰＵ５１は、撮影条件情報ＤＢ３００が保持する撮影条件情報群３０１から、図２に示すＧＵＩで入力したＩＤ、検査部位に対応する撮影条件情報を検索し、該当するものをＲＡＭ５３にダウンロードする。
【００３５】
図３は撮影条件情報群３０１に含まれる２つの撮影条件情報を例示する図である。３１１はガントリ装置１００が過去に患者ＩＤが０である被検体の頭部をスキャンした際に、操作コンソール２００において設定した撮影条件情報である。上述の通り、被検体の頭部の経過観察を行う場合には、過去に用いた撮影条件情報と同じものを今回用いる必要がある。よって、患者ＩＤが０で検査部位が頭部である場合の撮影条件情報３１１は最初のスキャンの時に一度だけ撮影条件情報ＤＢ３００に格納させておけば良く、以降はこれを利用すればよい。
【００３６】
よって、患者ＩＤが０で検査部位が頭部である場合の撮影条件情報は撮影条件情報群３０１の中でも撮影条件情報３１１のみとなるので、患者ＩＤと検査部位を指定すると、対応する撮影条件情報（すなわち撮影条件情報３１１）は一意に決定する。撮影条件情報３１１にはスライス厚が７ミリ、管電流が０．５ｍＡであるなど、患者ＩＤが０である被検体の頭部をスキャンするための撮影条件が記録されている。
【００３７】
３１２はガントリ装置１００が過去に患者ＩＤが０である被検体の胸部をスキャンした際に、操作コンソール２００において設定した撮影条件情報である。撮影条件情報３１２には、患者ＩＤが０で検査部位が胸部である場合の撮影条件が記録されている。
【００３８】
このようにして、各撮影条件情報は患者ＩＤと検査部位で特定できると共に、各撮影条件情報にはこの患者ＩＤと検査部位に応じた撮影条件が記録されている。
【００３９】
このようにして撮影条件情報ＤＢ３００から読み出し、ＲＡＭ５３にダウンロードした撮影条件情報は操作コンソール２００のＣＲＴ５６の表示画面上に表示される。しかしダウンロードされた撮影条件情報はデフォルト（default、初期）の撮影条件情報である。すなわち、ダウンロードされた撮影条件情報が表示された画面を検査技師が見て、修正すべき項目がある場合がある。よってその場合にはこの画面上でその項目の修正を行う。
【００４０】
そして、検査技師はＣＲＴ５６の表示画面上に表示された修正後、もしくはデフォルトの撮影条件情報に従ったスキャン開始コマンドをキーボード５７やマウス５８を用いてガントリ装置１００に送信する。これにより、ガントリ装置１００は、これからスキャンしようとする被検体に対して、この被検体の過去の撮影条件情報に従った条件でスキャンを行うことができる。
【００４１】
またこれにより従来のように、被検体の撮影条件情報の読み取りミスや入力ミスを防ぐことができるので、より安全なスキャンを行うことができる。
【００４２】
図４は本実施形態における操作コンソール２００とガントリ装置１００とが行う処理のフローチャートである。
【００４３】
まず操作コンソール２００の操作者である検査技師はキーボード５７やマウス５８を用いて、これからスキャンしようとする被検体の患者ＩＤと検査部位とを図２に例示した画面にて入力する（ステップＳ４０１）。そして入力した患者ＩＤと検査部位とで特定される撮影条件情報を撮影条件情報ＤＢ３００からデフォルトとしてダウンロードし、ＲＡＭ５３に取得する（ステップＳ４０２）。
【００４４】
ＲＡＭ５３に取得した撮影条件情報は操作コンソール２００のＣＲＴ５６の表示画面上に表示されるが、検査技師が見て、これでよいのであれば取得したデフォルトの撮影条件情報に従ったスキャン開始コマンドをガントリ装置１００に送信する（ステップＳ４０５）。一方、撮影条件情報を変更したい場合にはキーボード５７やマウス５８を用いて表示されたデフォルトの撮影条件情報を修正し（ステップＳ４０４）、修正後の撮影条件情報に従ったスキャン開始コマンドをガントリ装置１００に送信する（ステップＳ４０５）。
【００４５】
ガントリ装置１００は操作コンソール２００から送信されたスキャン開始コマンドを受信すると（ステップＳ４５１）、被検体の投影データの収集、すなわちスキャンを開始する（ステップＳ４５２）。撮影条件情報に従ってガントリ装置１００が被検体の投影データを収集する技術については周知の通りであるので、ここでの説明は省略する。そしてガントリ装置１００は収集した被検体の投影データを操作コンソール２００に送信する（ステップＳ４５３）。
【００４６】
操作コンソール２００はガントリ装置１００から送信された投影データを受信し（ステップＳ４０６）、受信した投影データに対して画像再構成処理を行うことで、ステップＳ４０１で入力された被検体の検査部位における、ステップＳ４０２で特定した撮影条件情報に従った被検体の断層像を生成する（ステップＳ４０７）。そして生成した断層像はＣＲＴ５６の表示画面上に表示される（ステップＳ４０８）。
【００４７】
なお、ステップＳ４０４で撮影条件情報に修正があった場合には（ステップＳ４０９）、変更した撮影条件情報を撮影条件情報ＤＢ３００に患者ＩＤと共に保存する（ステップＳ４１０）。
【００４８】
また本実施形態では予め被検体のこれからスキャンしようとする検査部位の撮影条件情報が撮影条件情報ＤＢ３００に保存されている場合について説明したが、新たな患者に対するスキャン、新たな検査部位に対するスキャンを行う場合には、当然この被検体の撮影条件情報は撮影条件情報ＤＢ３００には保持されていないので、撮影条件情報を初めから作成することになるが、スキャン後には、作成した撮影条件情報を患者ＩＤと共に撮影条件情報ＤＢ３００に保存する。
【００４９】
［第２の実施形態］
第１の実施形態では、撮影条件情報ＤＢ３００には既に、操作コンソール２００において過去に設定した撮影条件情報が電子データとして保持されているが、上述の通り従来は、患者の過去の撮影条件情報はフィルムに記録されていることがある。本実施形態では、このフィルムに記録された撮影条件情報を電子化データとして読み取り、撮影条件情報ＤＢ３００に保存させる。
【００５０】
撮影条件情報はフィルムの予め決まった位置に記録される。よって操作コンソール２００にＯＣＲを接続し、このＯＣＲにより所定の位置に記録される文字列を読み取ることで、フィルムに記録された撮影条件情報を電子データとして読み取ることができる。すなわち、操作コンソール２００にフィルムに記録された撮影条件情報を入力することができる。よって、この電子データとしての撮影条件情報を、キーボード５７もしくはマウス５８を用いて検査技師により入力されるこのフィルムの患者のＩＤと共に撮影条件情報ＤＢ３００に保存する。
【００５１】
また以上の実施形態ではＣＴに適用した場合について説明したが、ＭＲＩなどの分野にも同様に適用可能である。
【００５２】
また、本発明の目的は、上述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても実現できるものである。この場合、記憶媒体から読み出されたプログラムコード自体が前述した実施形態の機能を実現することになり、そのプログラムコードを記憶した記憶媒体は本発明を構成することになる。また、コンピュータ（操作コンソール）が読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれる。
【００５３】
本発明を上記記憶媒体に適用する場合、その記憶媒体には、先に説明した（図５、及び／又は６に示すフローチャートの一部、もしくは全部）に対応するプログラムコードが格納されることになる。
【００５４】
このようなプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。更には、ネットワーク（例えばインターネット）という媒体を介してダウンロードしても良いであろう。
【００５５】
【発明の効果】
以上の説明により、本発明によって、前回の撮影条件と同じ撮影条件で患者の断層像を撮影する場合に、撮影条件情報を安全且つ簡便に設定することができる。
【図面の簡単な説明】
【図１】本発明の第１の実施形態のＸ線ＣＴシステムのブロック構成図である。
【図２】過去にガントリ装置１００が被検体の頭部をスキャンするために操作コンソール２００で設定した撮影条件情報を撮影条件情報ＤＢ３００から読み出すためのＧＵＩの表示例を示す図である。
【図３】撮影条件情報群３０１に含まれる２つの撮影条件情報を例示する図である。
【図４】本発明の第１の実施形態における操作コンソール２００とガントリ装置１００とが行う処理のフローチャートである。
【図１】
2004195122.tif 000003
【図２】
2004195122.tif 000004
【図３】
2004195122.tif 000005
【図４】
2004195122.tif 000006